(57)【特許請求の範囲】
【請求項１】
被参照コンテンツに索引を付けるためのシステムにおいて被参照(referenced)コンテンツに索引を付ける(indexing)ための方法であって、前記システムが、
検索構成要素を備え、当該検索構成要素が、
コンテンツソースによってホストされる被参照コンテンツに対する参照を識別するために親コンテンツを評価するための第１の評価手段と、
前記参照を使用して前記コンテンツソースから前記被参照コンテンツを獲得するための第１の獲得手段と、
前記被参照コンテンツを記述する検索用語を決定するために前記被参照コンテンツを評価するための第２の評価手段と、
前記検索用語を使用して、前記親コンテンツと共に前記被参照コンテンツを検索索引中に索引付けするための第１の索引付け手段と、
検索クエリーを受け取るための受信手段と、
前記検索クエリーを使用して前記検索索引を評価するための第３の評価手段であって、前記親コンテンツに対応する前記検索クエリーに応答して、前記親コンテンツおよび前記被参照コンテンツを前記検索クエリーに対する検索結果として提供する、提供手段を含むものと、
を備え、
前記方法が、
前記第１の評価手段が、コンテンツソースによってホストされる被参照コンテンツに対する参照を識別するために親コンテンツ(parent content)を評価するステップと、
前記第１の獲得手段が、前記参照を使用して前記コンテンツソースから前記被参照コンテンツを獲得するステップと、
前記第３の評価手段が、前記被参照コンテンツを記述する検索用語を決定するために前記被参照コンテンツを評価するステップと、
前記第１の索引付け手段が、前記検索用語を使用して、前記親コンテンツと共に前記被参照コンテンツを検索索引(search index)中に索引付けする(indexing)ステップと、
前記受信手段が、検索クエリーを受け取るステップと、
前記第３の評価手段が、前記検索クエリーを使用して前記検索索引を評価するステップであって、
前記親コンテンツに対応する前記検索クエリーに応答して、前記提供手段が、前記親コンテンツおよび前記被参照コンテンツを前記検索クエリーに対する検索結果として提供するステップと、
を含む、方法。
【請求項２】
前記システムが更に、
前記親コンテンツによって参照されたエンティティを識別するための識別手段と、
遠隔ソースから前記エンティティに対する記述情報(descriptive information)を獲得するための第２の獲得手段と、
前記記述情報に基づいて前記エンティティに対するエンティティ概要(summary)を生成するための生成手段と、
前記親コンテンツと共に前記エンティティ概要を前記検索索引中に索引付けするための第２の索引付け手段と、
を備え、
前記方法が更に、
前記識別手段が、前記親コンテンツによって参照されたエンティティを識別するステップと、
前記第２の獲得手段が、遠隔ソースから前記エンティティに対する記述情報(descriptive information)を獲得するステップと、
前記生成手段が、前記記述情報に基づいて前記エンティティに対するエンティティ概要(summary)を生成するステップと、
前記第２の索引付け手段が、前記親コンテンツと共に前記エンティティ概要を前記検索索引中に索引付けするステップと、
を含む、請求項１に記載の方法。
【請求項３】
前記システムが更に、
前記エンティティのエンティティ識別子を検索エンジンにサブミット(submitting)するための手段と、
前記記述情報を識別するために、前記検索エンジンによって提供される前記エンティティ識別子に対する検索結果を評価するための評価手段と
を備え、
記述情報を獲得する前記ステップが、
前記サブミットするための手段が、前記エンティティのエンティティ識別子を検索エンジンにサブミット(submitting)するステップと、
前記評価手段が、前記記述情報を識別するために、前記検索エンジンによって提供される前記エンティティ識別子に対する検索結果を評価するステップと、
を含む、請求項２に記載の方法。
【請求項４】
前記システムが更に、
前記検索クエリーを使用して前記検索索引を評価するための第４の評価手段であって、前記第４の評価手段が、
前記エンティティ概要に対応する前記検索クエリーに応答して、前記親コンテンツ、前記エンティティに対する前記記述情報または前記エンティティ概要のうちの少なくとも１つを前記検索クエリーに対する検索結果として提供するための提供手段を備るものと、
を備え、
前記方法が更に、
前記受信手段が、検索クエリーを受け取るステップと、
前記第４の評価手段が、前記検索クエリーを使用して前記検索索引を評価するステップであって、前記評価するステップが、
前記提供手段が、前記エンティティ概要に対応する前記検索クエリーに応答して、前記親コンテンツ、前記エンティティに対する前記記述情報または前記エンティティ概要のうちの少なくとも１つを前記検索クエリーに対する検索結果として提供するステップ、
を含むステップと
を含む、請求項２に記載の方法。
【請求項５】
前記システムが更に、
前記被参照コンテンツにリンクする、前記被参照コンテンツに対する記述情報を含むアンカー用語(anchor term)を含むウェブサイトを識別するための、第２の識別手段と、
前記記述情報または前記アンカー用語のうちの少なくとも１つに基づいて前記検索用語を決定するための、決定手段と、
を備え、
前記被参照コンテンツを評価する前記ステップが、
前記第２の識別手段が、前記被参照コンテンツにリンクする、前記被参照コンテンツに対する記述情報を含むアンカー用語(anchor term)を含むウェブサイトを識別するステップと、
前記決定手段が、前記記述情報または前記アンカー用語のうちの少なくとも１つに基づいて前記検索用語を決定するステップと、
を含む、請求項１に記載の方法。
【請求項６】
前記システムが更に、
前記被参照コンテンツ内の用語を第２の検索用語として識別するための、第３の識別手段と、
前記第２の検索用語に割り当てられる第２の関連性重み(relevancy weighting)とは異なる第１の関連性重みを前記検索用語に割り当てるための、割り当て手段と、
を備え、
前記方法が更に、
前記第３の識別手段が、前記被参照コンテンツ内の用語を第２の検索用語として識別するステップと、
前記割り当て手段が、前記第２の検索用語に割り当てられる第２の関連性重み(relevancy weighting)とは異なる第１の関連性重みを前記検索用語に割り当てるステップと、
を含む、請求項５に記載の方法。
【請求項７】
被参照コンテンツに索引を付けるためのシステムであって、
検索構成要素を備え、当該検索構成要素が、
コンテンツソースによってホストされる被参照コンテンツに対する参照を識別するために親コンテンツを評価するための第１の評価手段と、
前記参照を使用して前記コンテンツソースから前記被参照コンテンツを獲得するための第１の獲得手段と、
前記被参照コンテンツを記述する検索用語を決定するために前記被参照コンテンツを評価するための第２の評価手段と、
前記検索用語を使用して、前記親コンテンツと共に前記被参照コンテンツを検索索引中に索引付けするための第１の索引付け手段と、
を備え、
前記検索構成要素が更に、
前記親コンテンツによって参照されたエンティティを識別するための識別手段と、
遠隔ソースから前記エンティティに対する記述情報を獲得するための第２の獲得手段と、
前記記述情報に基づいて前記エンティティに対するエンティティ概要を生成するための生成手段と、
前記親コンテンツと共に前記エンティティ概要を前記検索索引中に索引付けするための第２の索引付け手段と、
を備えるシステム。
【請求項８】
被参照コンテンツに索引を付けるためのシステムであって、
検索構成要素を備え、当該検索構成要素が、
コンテンツソースによってホストされる被参照コンテンツに対する参照を識別するために親コンテンツを評価するための第１の評価手段と、
前記参照を使用して前記コンテンツソースから前記被参照コンテンツを獲得するための第１の獲得手段と、
前記被参照コンテンツを記述する検索用語を決定するために前記被参照コンテンツを評価するための第２の評価手段と、
前記検索用語を使用して、前記親コンテンツと共に前記被参照コンテンツを検索索引中に索引付けするための第１の索引付け手段と、
を備え、
前記検索構成要素が更に、
検索クエリーを受け取るための手段と、
前記検索クエリーを使用して前記検索索引を評価する第３の評価手段と、
を備え、前記第３の評価手段が、
エンティティ概要に対応する前記検索クエリーに応答して、前記親コンテンツ、前記記述情報または前記エンティティ概要のうちの少なくとも１つを前記検索クエリーに対する検索結果として提供するための手段を備える、
システム。
【請求項９】
前記親コンテンツがメッセージを含み、前記被参照コンテンツが、前記メッセージに添付された添付ファイル、または遠隔コンテンツソースへの前記メッセージ内のＵＲＬリンクのうちの少なくとも１つを含む、請求項７又は８に記載のシステム。
【発明の詳細な説明】
【技術分野】
【０００１】
本願発明の一実施例は、例えば、被参照コンテンツの索引付けに関する。
【背景技術】
【０００２】
[0001]多くのユーザーは、検索機能を使用してコンテンツを発見することができる。一例では、ユーザーは、ファイルシステム検索インタフェースを使用して、画像、文書および／または他の局所ファイルなどのファイルを突き止めることができる。別の例では、ユーザーは、ソーシャルネットワーク検索インタフェースを使用してソーシャルネットワークユーザープロフィールを突き止めることができる。別の例では、ユーザーは、電子メール検索インタフェースを使用して、電子メール、コンタクトおよび／またはアポイントメントを突き止めることができる。
【発明の概要】
【発明が解決しようとする課題】
【０００３】
本願発明の一実施例は、例えば、被参照コンテンツの索引付けに関する。
【課題を解決するための手段】
【０００４】
[0002]この概要は、以下の発明を実施するための形態の中でさらに説明される概念の選択を単純な形態で紹介するために提供されている。この概要には、特許請求される主題の重要な要素または本質的な特徴を識別することは意図されておらず、また、特許請求される主題の範囲を制限するために使用されることも意図されていない。
【０００５】
[0003]本明細書においては、とりわけ、被参照コンテンツに索引を付けるため、および／またはコンテンツを深く検索するための１つまたは複数のシステムおよび／または技法が提供される。被参照コンテンツに索引を付ける一例では、コンテンツソースによってホストされる被参照コンテンツに対する参照を識別するために親コンテンツが評価され得る。参照を使用して被参照コンテンツがコンテンツソースから獲得され得る。被参照コンテンツを記述する検索用語を決定するために被参照コンテンツが評価され得る。検索用語を使用して親コンテンツと共に被参照コンテンツが検索索引中に索引付けされ得る。
【０００６】
[0004]検索クエリーが受け取られると、検索クエリーは、例えば検索索引に対して実行され得る。検索クエリーが親コンテンツおよび被参照コンテンツの索引付けに使用された検索用語に対応していることが決定されると、それに応答して親コンテンツおよび／または被参照コンテンツが検索クエリーに対する検索結果として提供され得る。
【０００７】
[0005]上記および関連する目的の達成のために、以下の説明および添付の図面は、特定の例示的な態様および実装を示す。これらは、１つまたは複数の態様が使用され得る様々な方法のうちのいくつかを示しているにすぎない。本開示の他の態様、利点および新規な特徴は、添付の図面と共に考察することによって以下の発明を実施するための形態から明らかになるであろう。
【図面の簡単な説明】
【０００８】
【図１】[0006]被参照コンテンツに索引を付ける一例示的方法を示す流れ図である。
【図２Ａ】[0007]被参照コンテンツに索引を付けるための一例示的システムを示す構成要素ブロック図である。
【図２Ｂ】[0008]被参照コンテンツに索引を付けるための一例示的システムを示す構成要素ブロック図である。
【図２Ｃ】[0009]被参照コンテンツに索引を付けるための一例示的システムを示す構成要素ブロック図である。
【図２Ｄ】[0010]コンテンツを深く検索するための一例示的システムを示す構成要素ブロック図である。
【図２Ｅ】[0011]コンテンツを深く検索するための一例示的システムを示す構成要素ブロック図である。
【図３Ａ】[0012]エンティティ概要に索引を付けるための一例示的システムを示す構成要素ブロック図である。
【図３Ｂ】[0013]エンティティ概要を検索結果として提供するための一例示的システムを示す構成要素ブロック図である。
【図４】[0014]本明細書において示される準備のうちの１つまたは複数を具体化するように構成されたプロセッサー実行可能命令が含まれ得る一例示的コンピューター可読媒体を示す図である。
【図５】[0015]本明細書において示される準備のうちの１つまたは複数が実装され得る一例示的計算環境を示す図である。
【発明を実施するための形態】
【０００９】
[0016]以下、特許請求される主題が、全体を通して同様の要素を示すために同様の参照数表示が概ね使用されている図面を参照して説明される。以下の説明には、説明を目的として、特許請求される主題についての理解を提供するために多くの特定の詳細が示されている。しかしながら特許請求される主題は、これらの特定の詳細がなくても実践され得ることは明らかであろう。他の実例では、構造およびデバイスは、特許請求される主題の説明を容易にするためにブロック図の形態で示されている。
【００１０】
[0017]本明細書においては、被参照コンテンツに索引を付けるため、および／またはコンテンツを深く検索するための１つまたは複数の技法および／またはシステムが提供される。ユーザーによって実施される検索に関連するコンテンツが参照され、および／または１つまたは複数の他のコンテンツソース（例えば電子メールへの添付、メッセージ内のＵＲＬによってリンクされるウェブサイトによって提供される記事、文書内のＵＲＬによってリンクされたソーシャルネットワークポストからの写真など）内で深く参照され得る。しかしながらこのようなコンテンツは、他のコンテンツ内で参照またはネストされるため、この深さは検索結果として提供され得ない。したがって本明細書において提供されるように、親コンテンツによって参照される被参照コンテンツ（例えば電子メール親コンテンツによって参照される添付被参照コンテンツ、メッセージ親コンテンツによって参照される記事被参照コンテンツ、文書親コンテンツによって参照される写真被参照コンテンツ）が親コンテンツと共に索引付けされ、したがって参照コンテンツが検索結果として提供され得る。
【００１１】
[0018]被参照コンテンツに索引を付ける一実施形態は、図１の一例示的方法１００によって示されている。方法は１０２で始まる。１０４で、コンテンツソースによってホストされる被参照コンテンツに対する参照を識別するために親コンテンツが評価され得る。親コンテンツは、メッセージ、電子メール、ソーシャルネットワークポスト、文書、ウェブサイト、および／または他のコンテンツを参照することができる任意の他のコンテンツなどの任意のタイプのコンテンツを含むことができる。一例では、被参照コンテンツは、親コンテンツ内のＵＲＬによって参照されるウェブサイト、親コンテンツに添付された添付ファイル、親コンテンツに対して局所的であるコンテンツ、親コンテンツから遠隔のコンテンツ、公に利用可能なコンテンツ、公に利用できないコンテンツ（例えば団体ファイル共有サービスを介してアクセスすることができる団体ファイル）、画像、記事、ソーシャルネットワークプロファイル、ビデオ、および／または親コンテンツによって参照され得る任意の他のコンテンツを含むことができる。参照は、親コンテンツと関連付けられたＵＲＬリンクなどのインジケータを含むことができる。例えばソーシャルネットワークポスト「やあＪｅｎ、私の婚礼写真ｈｔｔｐ：／／ｒｅｆｅｒｅｎｃｅ＿ｔｏ＿ｐｈｏｔｏ／５６７３２，  ｒｅｇａｒｄｓ  Ｊｉｌｌにリンクしないか」が親コンテンツとして識別され得る。ソーシャルネットワークポスト親コンテンツのｈｔｔｐ：／／ｒｅｆｅｒｅｎｃｅ＿ｔｏ＿ｐｈｏｔｏ／５６７３２  ＵＲＬ  ｌｉｎｋに対応する写真ＵＲＬ参照が、Ｊｉｌｌによって写真共有サービスコンテンツソースにアップロードされた婚礼写真被参照コンテンツなどの被参照コンテンツに対する参照として識別され得る。
【００１２】
[0019]１０６で、参照を使用して被参照コンテンツがコンテンツソースから獲得され得る。例えば写真ＵＲＬ参照は、写真共有サービスコンテンツソースから婚礼写真被参照コンテンツにアクセスするために使用され得る（例えばｈｔｔｐ：／／ｒｅｆｅｒｅｎｃｅ＿ｔｏ＿ｐｈｏｔｏ／５６７３２  ＵＲＬ  ｌｉｎｋを使用して）。一例では、コンテンツソースにアクセスするためにＪｉｌｌなどのユーザーによって利用される所与のユーザーコンテンツ、すなわち一組のクリデンシャルが識別され得る（例えばＪｉｌｌは、被参照コンテンツに索引を付ける目的のため、および／または被参照コンテンツを深いコンテンツ検索からの検索結果として提供するために、写真共有サービスコンテンツソースにアクセスするために使用される写真共有サービスログインクリデンシャルに対する肯定的同意を提供していたかもしれない）。クリデンシャルは、被参照コンテンツまたはその一部が獲得され得るよう（例えば検索され、アクセスされなど）、コンテンツソースを認証するために利用され得る。
【００１３】
[0020]１０８で、被参照コンテンツを記述する検索用語を決定するために被参照コンテンツが評価され得る。検索用語は単一の用語に限定されず、語句（例えば「婚礼写真」）などの任意の数の用語を含むことができることは認識されよう。一例では、被参照コンテンツ内の用語が検索用語として識別され得る（例えば「Ｊｉｌｌの婚礼２０１４」検索用語が婚礼写真被参照コンテンツのキャプションから抜き出され得る）。一例では、画像処理を使用して検索用語が識別され得る（例えば画像処理によって婚礼写真被参照コンテンツがＪｉｌｌを描写していることが決定されると、それに基づいて「Ｊｉｌｌ」検索用語が識別され得る）。一例では、被参照コンテンツにリンクしているアンカー用語を含むウェブサイトが識別され得る。アンカー用語は、被参照コンテンツに対する記述情報を含むことができる。検索用語は、この記述情報および／またはアンカー用語に基づいて決定され得る。例えば有名人ウェブページは、婚礼写真被参照コンテンツにリンクしているアンカー用語「婚礼」を含む女優Ｊｉｌｌプロファイルウェブページを含むことができる。アンカー用語は、記述情報を使用して婚礼写真被参照コンテンツを記述することができる。婚礼写真被参照コンテンツのための検索用語（例えば「有名人Ｊｉｌｌの婚礼写真」検索用語）は、有名人ウェブページ上のアンカー用語および／またはアンカー用語の記述情報に基づいて決定され得る。一例では、関連性重みが検索用語に割り当てられ得る。例えば「有名人Ｊｉｌｌの婚礼写真」検索用語は、婚礼写真被参照コンテンツの高度に関連性のある記述概要を提供することができるアンカー用語から引き出されるため、「有名人Ｊｉｌｌの婚礼写真」検索用語には比較的より高い関連性重みが割り得てられ得る。
【００１４】
[0021]１１０で、検索用語を使用して親コンテンツと共に被参照コンテンツが検索索引中に索引付けされ得る。例えば検索索引は、検索用語を使用して親コンテンツおよび／または被参照コンテンツが識別される（例えば検索用語と一致する検索クエリーが検索結果として返される親コンテンツおよび／または被参照コンテンツになり得るよう、親コンテンツと被参照コンテンツの間の関連付けの識別）逆テーブルを含むことができる。一例では、検索用語を使用して、単に被参照コンテンツの一部（例えば記事の概要または要約）のみが親コンテンツと共に検索索引中に索引付けされ得る。この方法によれば、すべての被参照コンテンツではなく、索引を付ける必要のある被参照コンテンツに索引が付けられ得る（例えばそれにより記憶資源が節約される）。
【００１５】
[0022]一例では、検索クエリーが受け取られ得る。例えばユーザーは、検索インタフェースを介して検索クエリー「Ｊｉｌｌの婚礼」をサブミットすることができる。検索クエリーを使用して検索索引が評価され得る。一例では、検索クエリーが親コンテンツおよび被参照コンテンツに索引を付けるために使用された検索用語に対応していることの決定に応答して、親コンテンツおよび／または被参照コンテンツが検索クエリーに対する検索結果として提供され得る。一例では、検索クエリーが親コンテンツに対応していることの決定に応答して、親コンテンツおよび／または被参照コンテンツが検索クエリーに対する検索結果として提供され得る（例えば親コンテンツおよび被参照コンテンツが検索用語によってリンクされていると仮定すれば）。一例では、検索クエリーが被参照コンテンツに対応していることの決定に応答して、親コンテンツおよび／または被参照コンテンツが検索クエリーに対する検索結果として提供され得る（例えば親コンテンツおよび被参照コンテンツが検索用語によってリンクされていると仮定すれば）。一例では、検索結果には、コンテンツが提供されるソースを識別する注釈（例えば親コンテンツが提供されるソースを識別する注釈、および／または被参照コンテンツが提供されるソースを識別する注釈）を使用して注釈が付けられ得る。方法は１１２で終了する。
【００１６】
[0023]図２Ａ〜２Ｅは、被参照コンテンツに索引を付けるための索引付け構成要素２０６、および／またはコンテンツを深く検索するための検索構成要素２６２を備えるシステム２０１の例を示したものである。図２Ａは、ユーザーによって受け取られたＧｒｅｅｎ  Ｈｏｍｅ  Ｃｏｍｐａｎｙからの電子メールに対応する電子メール親コンテンツ２０２を識別する索引付け構成要素２０６の一例２００を示したものである。索引付け構成要素２０６は、電子メール親コンテンツ２０２に添付されるＧｒｅｅｎ  Ｈｏｍｅ  Ｃｏｍｐａｎｙクーポンに対応する電子メール添付クーポン被参照コンテンツ２０４に対する添付参照２１６を識別するために電子メール親コンテンツ２０２を評価することができる。索引付け構成要素２０６は、電子メール添付クーポン被参照コンテンツ２０４を獲得することができる（例えばＧｒｅｅｎ  Ｈｏｍｅ  Ｃｏｍｐａｎｙクーポンは、ダウンロードされ、保管され、および／または電子メール親コンテンツ２０２から開かれ得る）。索引付け構成要素２０６は、電子メール添付クーポン被参照コンテンツ２０４を記述する１つまたは複数の検索用語を決定するために電子メール添付クーポン被参照コンテンツ２０４を評価することができる。例えば芝生手入れ検索用語、芝刈り検索用語および芝生肥料検索用語が、Ｇｒｅｅｎ  Ｈｏｍｅ  Ｃｏｍｐａｎｙクーポンを記述する検索用語として識別され得る。したがって索引付け構成要素２０６は、芝生手入れ検索用語を使用して電子メール添付クーポン被参照コンテンツ２０４と共に電子メール親コンテンツ２０２に索引を付けて第１の索引付き項目２１０を生成し、芝刈り検索用語を使用して第２の索引付き項目２１２を生成し、また、芝生肥料検索用語を使用して第３の索引付き項目２１４を生成して検索索引２０８内に含めることができる。
【００１７】
[0024]図２Ｂは、ユーザーによって受け取られた友達からのインスタントメッセージに対応するインスタントメッセージ親コンテンツ２２２を識別する索引付け構成要素２０６の一例２２０を示したものである。索引付け構成要素２０６は、写真共有ソーシャルネットワークコンテンツソース２２６を介して共有されたパリの写真に対応する写真被参照コンテンツ２２８に対するＵＲＬ参照２２４を識別するために、インスタントメッセージ親コンテンツ２２２を評価することができる。索引付け構成要素２０６は、写真被参照コンテンツ２２８を獲得することができる（例えば写真被参照コンテンツ２２８は、写真共有ソーシャルネットワークコンテンツソース２２６にアクセスするためにユーザーが使用する一組のクリデンシャルを利用して写真共有ソーシャルネットワークコンテンツソース２２６からダウンロードされ得る）。索引付け構成要素２０６は、写真被参照コンテンツ２２８を記述する１つまたは複数の検索用語を決定するために、写真被参照コンテンツ２２８に対する画像認識を実施することができる。例えばパリ検索用語およびエッフェル塔検索用語が写真被参照コンテンツ２２８を記述する検索用語として識別され得る。したがって索引付け構成要素２０６は、パリ検索用語を使用して写真被参照コンテンツ２２８と共にインスタントメッセージ親コンテンツ２２２に索引を付けて第４の索引付き項目２３０を生成し、また、エッフェル塔検索用語を使用して第５の索引付き項目２３２を生成して検索索引２０８内に含めることができる。
【００１８】
[0025]図２Ｃは、ユーザーのソーシャルネットワーク友達によるソーシャルネットワークポストに対応するソーシャルネットワークポスト親コンテンツ２４２を識別する索引付け構成要素２０６の一例２４０を示したものである。索引付け構成要素２０６は、家庭用電気器具店ウェブサイトコンテンツソース２４６によって提供された洗濯機クーポン被参照コンテンツ２４８に対するＵＲＬ参照２４４を識別するために、ソーシャルネットワークポスト親コンテンツ２４２を評価することができる。索引付け構成要素２０６は、洗濯機クーポン被参照コンテンツ２４８を獲得することができる（例えば洗濯機クーポン被参照コンテンツ２４８は、家庭用電気器具店ウェブサイトコンテンツソース２４６からダウンロードされ得る）。索引付け構成要素２０６は、洗濯機クーポン被参照コンテンツ２４８を記述する１つまたは複数の検索用語を決定するために、洗濯機クーポン被参照コンテンツ２４８を評価することができる（例えばテキストパーサーおよび／またはトピック分類子などの分類子を使用して）。例えば洗濯機検索用語およびクーポン検索用語が洗濯機クーポン被参照コンテンツ２４８を記述する検索用語として識別され得る。したがって索引付け構成要素２０６は、洗濯機検索用語を使用して洗濯機クーポン被参照コンテンツ２４８と共にソーシャルネットワーク親コンテンツ２４２に索引を付けて第６の索引付き項目２５０を生成し、また、クーポン検索用語を使用して第７の索引付き項目２５２を生成して検索索引２０８内に含めることができる。
【００１９】
[0026]図２Ｄは、検索構成要素２６２による深いコンテンツ検索の一例２６０を示したものである。検索構成要素２６２は、検索インタフェース２６４から検索クエリー（例えば芝生手入れ検索クエリー２６６）を受け取るように構成され得る。検索構成要素２６２は、芝生手入れ検索クエリー２６６を使用して検索索引２０８を評価することができる。例えば検索構成要素２６２は、芝生手入れ検索用語と関連付けられた第１の索引付き項目２１０、芝刈り検索用語と関連付けられた第２の索引付き項目２１２、および芝生肥料検索用語と関連付けられた第３の索引付き項目２１４が芝生手入れ検索クエリー２６６に対応していると決定することができる。したがって検索構成要素２６２は、検索インタフェース２６４を介して、Ｇｒｅｅｎ  Ｈｏｍｅ  Ｃｏｍｐａｎｙと関連付けられた電子メール親コンテンツ２０２、および／またはＧｒｅｅｎ  Ｈｏｍｅ  Ｃｏｍｐａｎｙクーポンの添付クーポン被参照コンテンツ２０４を芝生手入れ検索クエリー２６６に対する検索結果２６８として提供することができる。
【００２０】
[0027]図２Ｅは、検索構成要素２６２による深いコンテンツ検索の一例２８０を示したものである。検索構成要素２６２は、検索インタフェース２８２から検索クエリー（例えばパリ検索クエリー２８４）を受け取るように構成され得る。検索構成要素２６２は、パリ検索クエリー２８４を使用して検索索引２０８を評価することができる。例えば検索構成要素２６２は、パリ検索用語と関連付けられた第４の索引付き項目２３０、およびエッフェル塔検索用語２３２と関連付けられた第５の索引付き項目２３２がパリ検索クエリー２８４に対応していると決定することができる。したがって検索構成要素２６２は、検索インタフェース２８２を介して、インスタントメッセージ親コンテンツ２２２、および／または写真共有ソーシャルネットワーク２２６からの写真被参照コンテンツ２２８をパリ検索クエリー２８４に対する検索結果２８６として提供することができる。
【００２１】
[0028]図３Ａおよび３Ｂは、索引付け構成要素２０６および／または検索構成要素２６２を備えた、エンティティ概要に索引を付け、および／またはエンティティ概要を検索結果として提供するためのシステム３０１の例を示したものである。図３Ａは、エンティティ概要に索引を付ける一例３００を示したものである。索引付け構成要素２０６は、電子メール親コンテンツ３０２（例えばＭａｒｙからの電子メール）を識別することができる。索引付け構成要素２０６は、キャプテンＪａｃｋエンティティを記述しているキャプテンＪａｃｋ概要文書３１０を含む添付被参照コンテンツ３０６に対する添付参照３０４の識別などのために電子メール親コンテンツ３０２を評価することができる。キャプテンＪａｃｋエンティティは、例えばキャプテンＪａｃｋを参照している電子メール親コンテンツ３０２の文章に基づいて、および／またはキャプテンＪａｃｋを記述しているキャプテンＪａｃｋ概要文書３１０に基づいて識別され得る。索引付け構成要素２０６は、キャプテンＪａｃｋウェブサイト、キャプテンＪａｃｋソーシャルネットワークプロファイル、キャプテンＪａｃｋ記事、写真共有サービスなどの様々な遠隔ソース３１２から、電子メール情報、キャプテンＪａｃｋ概要情報、キャプテンＪａｃｋ写真、キャプテンＪａｃｋソーシャルネットワークプロファイル情報などのキャプテンＪａｃｋエンティティに対する記述情報を獲得することができる。索引付け構成要素２０６は、キャプテンＪａｃｋエンティティ概要３１４などの記述情報に基づいて、エンティティに対するエンティティ概要を生成することができる。キャプテンＪａｃｋエンティティ概要３１４は、電子メール親コンテンツ３０２と共に、索引付き項目３０８として検索索引２０８中に索引付けされ得る。
【００２２】
[0029]図３Ｂは、エンティティ概要を検索結果として提供する一例３５０を示したものである。検索構成要素２６２は、検索インタフェース３５２を介して、キャプテンＪａｃｋ検索クエリー３５４などの検索クエリーを受け取ることができる。検索構成要素２６２は、キャプテンＪａｃｋ検索クエリー３５４を使用して検索索引２０８を評価することができる。キャプテンＪａｃｋ検索クエリー３５４が電子メール親コンテンツ３０２とキャプテンＪａｃｋエンティティ概要３１４の間の関係を示す索引付き項目３０８に対応していることに応答して、電子メール親コンテンツ３０２、キャプテンＪａｃｋエンティティに対する記述情報および／またはキャプテンＪａｃｋエンティティ概要３１４が、検索インタフェース３５２を介して、キャプテンＪａｃｋ検索クエリー３５４に対する検索結果３５６として提供され得る。
【００２３】
[0030]本開示の一態様によれば、被参照コンテンツに索引を付けるための方法が提供される。方法は、コンテンツソースによってホストされる被参照コンテンツに対する参照を識別するために親コンテンツを評価するステップを含む。参照を使用してコンテンツソースから被参照コンテンツが獲得され得る。被参照コンテンツを記述する検索用語を決定するために被参照コンテンツが評価され得る。検索用語を使用して親コンテンツと共に被参照コンテンツが検索索引中に索引付けされ得る。
【００２４】
[0031]本開示の一態様によれば、被参照コンテンツに索引を付けるためのシステムが提供される。システムは索引付け構成要素を含む。索引付け構成要素は、コンテンツソースによってホストされる被参照コンテンツに対する参照を識別するように構成される。索引付け構成要素は、参照を使用してコンテンツソースから被参照コンテンツを獲得するように構成される。索引付け構成要素は、被参照コンテンツを記述する検索用語を決定するために被参照コンテンツを評価するように構成される。索引付け構成要素は、検索用語を使用して親コンテンツと共に被参照コンテンツを検索索引中に索引付けするように構成される。
【００２５】
[0032]本開示の一態様によれば、実行されると、被参照コンテンツに索引を付けるための方法を実施する命令を含むコンピューター可読媒体が提供される。方法は、コンテンツソースによってホストされる被参照コンテンツに対する参照を識別するために親コンテンツを評価するステップを含む。参照を使用してコンテンツソースから被参照コンテンツが獲得され得る。被参照コンテンツを記述する検索用語を決定するために被参照コンテンツが評価され得る。検索用語を使用して親コンテンツと共に被参照コンテンツが検索索引中に索引付けされ得る。
【００２６】
[0033]本開示の一態様によれば、被参照コンテンツに索引を付けるための手段が提供される。コンテンツソースによってホストされる被参照コンテンツに対する参照を識別するために、この索引を付けるための手段によって親コンテンツが評価され得る。参照を使用して、この索引を付けるための手段によってコンテンツソースから被参照コンテンツが獲得され得る。被参照コンテンツを記述する検索用語を決定するために、この索引を付けるための手段によって被参照コンテンツが評価され得る。検索用語を使用して、この索引を付けるための手段によって親コンテンツと共に被参照コンテンツが検索索引中に索引付けされ得る。
【００２７】
[0034]さらに別の実施形態は、本明細書において提供された技法のうちの１つまたは複数を実装するように構成されたプロセッサー実行可能命令を含むコンピューター可読媒体を含む。コンピューター可読媒体またはコンピューター可読デバイスの一例示的実施形態が図４に示されており、実装４００は、ＣＤ−Ｒ、ＤＶＤ−Ｒ、フラッシュドライブ、ハードディスクドライブのプラッターなどのコンピューター可読媒体４０８を備えており、このコンピューター可読媒体４０８の上にコンピューター可読データ４０６が符号化される。ゼロまたは１のうちの少なくとも１つを含む２進データなどのこのコンピューター可読データ４０６は、本明細書において示されている原理のうちの１つまたは複数に従って動作するように構成された一組のコンピューター命令４０４を含む。いくつかの実施形態では、プロセッサー実行可能コンピューター命令４０４は、例えば図１の例示的方法１００のうちの少なくともいくつかなどの方法４０２を実施するように構成される。いくつかの実施形態では、プロセッサー実行可能命令４０４は、例えば図２Ａから２Ｅの例示的システム２０１のうちの少なくともいくつか、および／または図３Ａおよび３Ｂの例示的システム３０１のうちの少なくともいくつかなどのシステムを実装するように構成される。本明細書において提供された技法に従って動作するように構成される多くのこのようなコンピューター可読媒体は、当業者によって工夫される。
【００２８】
[0035]本主題は、構造的特徴および／または方法論的行為に特化された言語で説明されているが、添付の特許請求の範囲で定義されている本主題は、上で説明した特定の特徴または行為に必ずしも限定されないことを理解されたい。そうではなく、上で説明した特定の特徴および行為は、特許請求の範囲のうちの少なくともいくつかを実装する例示的形態として開示されている。
【００２９】
[0036]本出願において使用されているように、「構成要素」、「モジュール」、「システム」、「インタフェース」および／または同様のものという用語には、一般に、ハードウェアであれ、ハードウェアとソフトウェアの組合せであれ、ソフトウェアであれ、あるいは実行中のソフトウェアであれ、コンピューターに関連するエンティティを意味することが意図されている。例えば構成要素は、それらに限定されないが、プロセッサー上で動作するプロセス、プロセッサー、オブジェクト、実行可能ファイル、実行のスレッド、プログラムおよび／またはコンピューターであってもよい。実例として、コントローラー上で動作するアプリケーションおよびコントローラーはいずれも構成要素であってもよい。１つまたは複数の構成要素は、プロセスおよび／または実行のスレッド内に常駐させることができ、また、構成要素は、１つのコンピューター上に局所化され、および／または２つ以上のコンピューターの間で分散され得る。
【００３０】
[0037]さらに、特許請求される主題は、コンピューターを制御して開示されている主題を実装するためのソフトウェア、ファームウェア、ハードウェアまたはそれらの任意の組合せを製造するための、標準プログラミング技法および／またはエンジニアリング技法を使用した方法、装置または製造の物品として実装され得る。本明細書において使用されている「製造の物品」という用語には、任意のコンピューター可読デバイスからのアクセスが可能なコンピュータープログラム、搬送波または媒体を包含することが意図されている。当然、特許請求される主題の範囲または精神を逸脱することなく、多くの修正がこの構成に加えられ得る。
【００３１】
[0038]図５および以下の説明は、本明細書において示された準備のうちの１つまたは複数の実施形態を実装するための適切な計算環境についての簡単な概要説明を提供したものである。図５の動作環境は、適切な動作環境の単なる一例にすぎず、動作環境の使用の範囲または動作環境の機能に関する何らかの制限を示唆することは意図されていない。例示的計算デバイスは、それらに限定されないが、パーソナルコンピューター、サーバーコンピューター、ハンドヘルドデバイスまたはラップトップデバイス、移動デバイス（移動電話、携帯情報端末（ＰＤＡ）、メディアプレーヤーなど）、多重プロセッサーシステム、消費者電子工学、ミニコンピューター、メインフレームコンピューター、任意の上記システムまたはデバイスを含む分散計算環境などを含む。
【００３２】
[0039]必ずしもその必要はないが、実施形態は、１つまたは複数の計算デバイスによって実行される「コンピューター可読命令」の一般的な文脈で説明されている。コンピューター可読命令は、コンピューター可読媒体を介して分散され得る（以下で説明される）。コンピューター可読命令は、特定のタスクを実施し、または特定の抽象データ型を実装する機能、オブジェクト、アプリケーションプログラミングインタフェース（ＡＰＩ）、データ構造などのプログラムモジュールとして実装され得る。典型的には、コンピューター可読命令の機能は、様々な環境における必要に応じて組み合わされ、あるいは分散され得る。
【００３３】
[0040]図５は、本明細書において提供された１つまたは複数の実施形態を実装するように構成された計算デバイス５１２を備えたシステム５００の一例を示したものである。一構成では、計算デバイス５１２は、少なくとも１つの処理装置５１６およびメモリー５１８を含む。計算デバイスの厳密な構成およびタイプに応じて、メモリー５１８は、揮発性（例えばＲＡＭなど）であっても、不揮発性（例えばＲＯＭ、フラッシュメモリーなど）であっても、あるいはその２つの何らかの組合せであってもよい。この構成は、図５に破線５１４で示されている。
【００３４】
[0041]他の実施形態では、デバイス５１２は、追加特徴および／または機能を含むことができる。例えばデバイス５１２は、それらに限定されないが、磁気記憶装置、光記憶装置などを含む追加記憶装置（例えば取外し可能および／または非取外し可能な）を含むことも可能である。このような追加記憶装置は、図５には記憶装置５２０で示されている。一実施形態では、本明細書において提供された１つまたは複数の実施形態を実装するためのコンピューター可読命令は、記憶装置５２０に存在し得る。記憶装置５２０は、オペレーティングシステム、アプリケーションプログラムなどを実装するための他のコンピューター可読命令を記憶することも可能である。コンピューター可読命令は、例えば処理装置５１６による実行のためにメモリー５１８にロードされ得る。
【００３５】
[0042]本明細書において使用されている「コンピューター可読媒体」という用語は、コンピューター記憶媒体を含む。コンピューター記憶媒体は、コンピューター可読命令または他のデータなどの情報を記憶するための任意の方法または技術で実装された揮発性および不揮発性媒体、取外し可能および非取外し可能媒体を含む。メモリー５１８および記憶装置５２０は、コンピューター記憶媒体の例である。コンピューター記憶媒体は、それらに限定されないが、ＲＡＭ、ＲＯＭ、ＥＥＰＲＯＭ、フラッシュメモリーまたは他のメモリー技術、ＣＤ−ＲＯＭ、デジタル汎用ディスク（ＤＶＤ）または他の光記憶装置、磁気カセット、磁気テープ、磁気ディスク記憶装置または他の磁気記憶デバイス、あるいは所望の情報を記憶するために使用され、また、デバイス５１２によってアクセスされ得る任意の他の媒体を含む。しかしながらコンピューター記憶媒体は伝搬信号を含んでいない。それどころかコンピューター記憶媒体は伝搬信号を排除する。このようなコンピューター記憶媒体は、すべて、デバイス５１２の一部であってもよい。
【００３６】
[0043]デバイス５１２は、デバイス５１２による他のデバイスとの通信を可能にする通信接続５２６を含むことも可能である。通信接続５２６は、それらに限定されないが、モデム、ネットワークインタフェースカード（ＮＩＣ）、統合ネットワークインタフェース、無線周波数送信機／受信機、赤外線ポート、ＵＳＢ接続、または計算デバイス５１２を他の計算デバイスに接続するための他のインタフェースを含むことができる。通信接続５２６は、有線接続または無線接続を含むことができる。通信接続５２６は、通信媒体を送信および／または受信することができる。
【００３７】
[0044]「コンピューター可読媒体」という用語は、通信媒体を含むことができる。通信媒体は、典型的には、コンピューター可読命令または他のデータを搬送波または他の輸送機構などの「変調データ信号」中で具体化し、また、任意の情報送達媒体を含む。「変調データ信号」という用語は、その特性のうちの１つまたは複数が信号中で情報を符号化するように設定または変更された信号を含むことができる。
【００３８】
[0045]デバイス５１２は、キーボード、マウス、ペン、音声入力デバイス、接触入力デバイス、赤外線カメラ、ビデオ入力デバイスおよび／または任意の他の入力デバイスなどの入力デバイス５２４を含むことができる。１つまたは複数のディスプレイ、スピーカー、プリンターおよび／または任意の他の出力デバイスなどの出力デバイス５２２も同じくデバイス５１２の中に含まれ得る。入力デバイス５２４および出力デバイス５２２は、有線接続、無線接続またはそれらの任意の組合せを介してデバイス５１２に接続され得る。一実施形態では、別の計算デバイスからの入力デバイスまたは出力デバイスが、計算デバイス５１２のための入力デバイス５２４または出力５２２として使用され得る。
【００３９】
[0046]計算デバイス５１２の構成要素は、バスなどの様々な相互接続によって接続され得る。このような相互接続は、ＰＣＩ  Ｅｘｐｒｅｓｓ、ユニバーサルシリアルバス（ＵＳＢ）、ファイアワイヤー（ＩＥＥＥ  １３９４）、光バス構造などのペリフェラルコンポーネントインターコネクト（ＰＣＩ）を含むことができる。別の実施形態では、計算デバイス５１２の構成要素は、ネットワークによって相互接続され得る。例えばメモリー５１８は、ネットワークによって相互接続された異なる物理的場所に配置された複数の物理メモリーユニットからなり得る。
【００４０】
[0047]当業者は、コンピューター可読命令を記憶するために利用される記憶デバイスは、ネットワーク全体に分散され得ることを認識するであろう。例えばネットワーク５２８を介してアクセスすることができる計算デバイス５３０は、本明細書において提供された１つまたは複数の実施形態を実装するためのコンピューター可読命令を記憶することができる。計算デバイス５１２は、計算デバイス５３０にアクセスし、コンピューター可読命令の一部またはすべてをダウンロードして実行することができる。別法としては、計算デバイス５１２は、必要に応じてコンピューター可読命令の断片をダウンロードすることができ、あるいはいくつかの命令が計算デバイス５１２で実行され、また、いくつかが計算デバイス５３０で実行され得る。
【００４１】
[0048]本明細書においては実施形態の様々な動作が提供されている。一実施形態では、説明された動作のうちの１つまたは複数は、１つまたは複数のコンピューター可読媒体上に記憶されるコンピューター可読命令を構成することができ、このコンピューター可読命令は、計算デバイスによって実行されると、説明された動作を計算デバイスに実施させることになる。動作のうちのいくつかまたはすべてが記述されている順序は、これらの動作が必ず順序依存であることを意味するものとして解釈されるべきではない。この説明から恩恵を受ける当業者には代替順序が認識されよう。さらに、必ずしもすべての動作が本明細書において提供された個々の実施形態に存在していないことは理解されよう。また、必ずしもすべての動作がいくつかの実施形態に存在していないことも同じく理解されよう。
【００４２】
[0049]さらに、特に明記されていない限り、「第１の」、「第２の」および／または等々には、一時的な態様、空間的な態様、順序などを意味することは意図されていない。そうではなく、このような用語は、特徴、要素、項目などのための識別子、名称などとして単に使用されているにすぎない。例えば第１の対象および第２の対象は、通常、対象Ａおよび対象Ｂ、もしくは２つの異なる対象、または２つの全く同じ対象、あるいは同じ対象に対応する。
【００４３】
[0050]さらに、「例示的」は、本明細書においては、例、実例、例証などとして働くことを意味するように使用されており、必ずしも有利なものとして働くことを意味していない。本明細書において使用されているように、「または」には、排他的な「または」ではなく包含的な「または」を意味することが意図されている。さらに、本出願において使用されている単数形の表現は、特に明記されていない限り、あるいは単数形を示していることが文脈から明らかでない限り、一般に「１つまたは複数」を意味するものとして解釈されたい。また、ＡおよびＢおよび／または等々のうちの少なくとも１つは、一般に、ＡまたはＢ、および／またはＡとＢの両方を意味している。さらに、「を含む」、「を有する」、「と共に」および／またはそれらの変形が、発明を実施するための形態または特許請求の範囲のいずれかで使用されている限りにおいては、このような用語には、「を備える」という用語と同様の方法で包含的であることが意図されている。
【００４４】
[0051]また、本開示は、１つまたは複数の実装に関して示され、かつ、説明されているが、他の当業者には、本明細書および添付の図面の読書および理解に基づく等価改変および修正が可能である。本開示は、すべてのこのような修正および改変を含み、以下の特許請求の範囲によってのみ制限される。詳細には、上で説明した構成要素（例えば要素、資源など）によって実施される様々な機能に関して、このような構成要素を説明するために使用されている用語には、別段示されていない限り、開示されている構造とは構造的に等価でなくても、説明されている構成要素の明記されている機能を実施する任意の構成要素に対応することが意図されている（例えばそれは機能的に等価である）。さらに、本開示の特定の特徴は、いくつかの実装のうちの１つの実施形態に関してしか開示されていない可能性があり得るが、このような特徴は、任意の所与のアプリケーションまたは特定のアプリケーションにとって望ましく、かつ、有利である場合、他の実装の１つまたは複数の他の特徴と組み合わされ得る。
本願発明の実施例には以下の態様を含むが、これに限定されない：
［発明１］
被参照(referenced)コンテンツに索引を付ける(indexing)ための方法であって、
コンテンツソースによってホストされる被参照コンテンツに対する参照を識別するために親コンテンツ(parent content)を評価するステップと、
前記参照を使用して前記コンテンツソースから前記被参照コンテンツを獲得するステップと、
前記被参照コンテンツを記述する検索用語を決定するために前記被参照コンテンツを評価するステップと、
前記検索用語を使用して、前記親コンテンツと共に前記被参照コンテンツを検索索引(search index)中に索引付けする(indexing)ステップと
を含む方法。
［発明２］
検索クエリーを受け取るステップと、
前記検索クエリーを使用して前記検索索引を評価するステップであって、
前記検索用語に対応する前記検索クエリーに応答して、前記親コンテンツまたは前記被参照コンテンツのうちの少なくとも１つを前記検索クエリーに対する検索結果として提供するステップ
を含むステップと
を含む、発明１に記載の方法。
［発明３］
検索クエリーを受け取るステップと、
前記検索クエリーを使用して前記検索索引を評価するステップであって、
前記親コンテンツに対応する前記検索クエリーに応答して、前記親コンテンツおよび前記被参照コンテンツを前記検索クエリーに対する検索結果として提供するステップ
を含むステップと
を含む、発明１に記載の方法。
［発明４］
前記索引付けするステップが、
閾値を超える記述的関連性(descriptive relevancy)を有する前記被参照コンテンツの一部を識別するステップと、
前記検索用語を使用して、前記親コンテンツと共に前記被参照コンテンツの前記一部を前記検索索引中に索引付けするステップと
を含む、発明１に記載の方法。
［発明５］
前記親コンテンツによって参照されたエンティティを識別するステップと、
遠隔ソースから前記エンティティに対する記述情報(descriptive information)を獲得するステップと、
前記記述情報に基づいて前記エンティティに対するエンティティ概要(summary)を生成するステップと、
前記親コンテンツと共に前記エンティティ概要を前記検索索引中に索引付けするステップと
を含む、発明１に記載の方法。
［発明６］
記述情報を獲得する前記ステップが、
前記エンティティのエンティティ識別子を検索エンジンにサブミット(submitting)するステップと、
前記記述情報を識別するために、前記検索エンジンによって提供される前記エンティティ識別子に対する検索結果を評価するステップと
を含む、発明５に記載の方法。
［発明７］
検索クエリーを受け取るステップと、
前記検索クエリーを使用して前記検索索引を評価するステップであって、前記評価するステップが、
前記エンティティ概要に対応する前記検索クエリーに応答して、前記親コンテンツ、前記エンティティに対する前記記述情報または前記エンティティ概要のうちの少なくとも１つを前記検索クエリーに対する検索結果として提供するステップ
を含むステップと
を含む、発明５に記載の方法。
［発明８］
前記被参照コンテンツを評価する前記ステップが、
前記被参照コンテンツにリンクする、前記被参照コンテンツに対する記述情報を含むアンカー用語(anchor term)を含むウェブサイトを識別するステップと、
前記記述情報または前記アンカー用語のうちの少なくとも１つに基づいて前記検索用語を決定するステップと
を含む、発明１に記載の方法。
［発明９］
前記被参照コンテンツ内の用語を第２の検索用語として識別するステップと、
前記第２の検索用語に割り当てられる第２の関連性重み(relevancy weighting)とは異なる第１の関連性重みを前記検索用語に割り当てるステップと
を含む、発明８に記載の方法。
［発明１０］
被参照コンテンツに索引を付けるためのシステムであって、
コンテンツソースによってホストされる被参照コンテンツに対する参照を識別するために親コンテンツを評価し、
前記参照を使用して前記コンテンツソースから前記被参照コンテンツを獲得し、
前記被参照コンテンツを記述する検索用語を決定するために前記被参照コンテンツを評価し、
前記検索用語を使用して、前記親コンテンツと共に前記被参照コンテンツを検索索引中に索引付けする
ように構成された検索構成要素を備えるシステム。
［発明１１］
検索クエリーを受け取り、かつ、
前記検索クエリーを使用して前記検索索引を評価する
ように構成された検索構成要素(search component)を備え、前記評価することが、
前記検索用語に対応する前記検索クエリーに応答して、前記親コンテンツまたは前記被参照コンテンツのうちの少なくとも１つを前記検索クエリーに対する検索結果として提供する
ことを含む、発明１０に記載のシステム。
［発明１２］
前記親コンテンツがメッセージを含み、前記被参照コンテンツが、前記メッセージに添付された添付ファイル、または遠隔コンテンツソースへの前記メッセージ内のＵＲＬリンクのうちの少なくとも１つを含む、発明１０に記載のシステム。
［発明１３］
前記検索構成要素が、
前記親コンテンツによって参照されたエンティティを識別し、
遠隔ソースから前記エンティティに対する記述情報を獲得し、
前記記述情報に基づいて前記エンティティに対するエンティティ概要を生成し、かつ、
前記親コンテンツと共に前記エンティティ概要を前記検索索引中に索引付けする
ように構成される、発明１０に記載のシステム。
［発明１４］
前記検索構成要素が、
検索クエリーを受け取り、かつ、
前記検索クエリーを使用して前記検索索引を評価する
ように構成され、前記評価することが、
エンティティ概要に対応する前記検索クエリーに応答して、前記親コンテンツ、前記記述情報または前記エンティティ概要のうちの少なくとも１つを前記検索クエリーに対する検索結果として提供する
ことを含む、発明１０に記載のシステム。
【図１】
0006667511.tif 000002
【図２Ａ】
0006667511.tif 000003
【図２Ｂ】
0006667511.tif 000004
【図２Ｃ】
0006667511.tif 000005
【図２Ｄ】
0006667511.tif 000006
【図２Ｅ】
0006667511.tif 000007
【図３Ａ】
0006667511.tif 000008
【図３Ｂ】
0006667511.tif 000009
【図４】
0006667511.tif 000010
【図５】
0006667511.tif 000011